(57)【要約】【課題】  企業等において従業員が使用するランチャをセンターで一元管理することにより、携帯端末装置を使った各種管理業務における業務アプリケーションの利用効率の改善をはかる。【解決手段】  センター装置（管理者端末２、ランチャ管理サーバ３）がランチャメニューを一元管理し、複数の携帯端末１に対しランチャメニューおよび対応するアプリケーションをダウンロード提供する。また、管理者端末２が、対象となる携帯端末１毎ランチャメニューに割付けるアプリケーションもしくは情報サイトを設定登録し、ランチャ管理サーバ３が当該ランチャメニューを管理しランチャメニューを含む関連情報を対象となる携帯端末１へ送信する。【選択図】      図１
2006171814.tif 000002
【特許請求の範囲】
【請求項１】
ランチャメニューを一元管理し、複数の携帯端末装置に対し前記ランチャメニュー、および対応するアプリケーション、Ｗｅｂサイト、前記携帯端末装置自身、前記携帯端末装置につながる装置の情報の少なくとも一つをダウンロード提供するセンター装置と、
前記ランチャメニューを画面表示してユーザに選択入力を促す手段、前記選択入力されたランチャメニューを取り込み、対応するＷｅｂサイトへの接続、対応する携帯端末装置自身の起動、前記携帯端末装置につながる装置の起動、対応する前記アプリケーションの起動のうちの少なくとも一つを実行する手段から成るＷｅｂ接続環境を持つ前記携帯端末装置とが、Ｗｅｂを介して接続されて成ることを特徴とするランチャメニュー管理システム。
【請求項２】
前記センター装置は、
対象となる携帯端末装置の少なくとも１台毎、ランチャメニューに割付けるアプリケーションもしくは、Ｗｅｂサイト、前記携帯端末装置自身、前記携帯端末装置につながる装置の情報の少なくとも一つを設定登録する管理者端末装置と、
前記ランチャメニューを含む関連情報を管理し、前記ランチャメニューを含む関連情報を、対象となる前記携帯端末装置へ送信するランチャ管理サーバと、を備えることを特徴とする請求項１に記載のランチャメニュー管理システム。
【請求項３】
前記センター装置は、
前記携帯端末装置が、一旦前記携帯端末装置にダウンロード提供したランチャメニュー、もしくはパーソナルデータを、対象となる携帯端末装置毎に削除設定する管理者端末装置と、
前記ランチャメニューを含む関連情報を管理し、前記ランチャメニューを含む関連情報の削除命令を、対象となる前記携帯端末装置へセンタープッシュ機能もしくはその他通信方式を用いて、もしくは前記携帯端末からの接続時に送信するランチャ管理サーバと、を備えることを特徴とする請求項１に記載のランチャメニュー管理システム。
【請求項４】
前記ランチャ管理サーバは、
前記管理者端末装置を介して不定期にアクセスされ、前記ランチャメニューの更新指示があったときに、センタープッシュを用い、前記携帯端末装置の関連する情報を更新することを特徴とする請求項２または３に記載のランチャメニュー管理システム。
【請求項５】
前記携帯端末装置は、
前記センター装置を定期的、不定期の少なくとも一つの方法でアクセスして前記センター装置によるランチャメニューの更新を監視し、当該ランチャメニューの更新が確認されたときに関連する情報を更新するランチャメニュー更新管理手段、を更に備えることを特徴とする請求項１に記載のランチャメニュー管理システム。
【請求項６】
前記携帯端末装置は、
前記センター装置によるランチャアイコンの管理が解除されたときに、ユーザ入力を取り込み、前記ランチャアイコンのカスタマイズを行うことを特徴とする請求項１に記載のランチャメニュー管理システム。
【請求項７】
ランチャ管理サーバを介して設定登録されるランチャメニュー、および当該ランチャメニューに対応するアプリケーション、Ｗｅｂサイト、前記携帯端末装置自身、前記携帯端末装置につながる装置の情報の少なくとも一つを、前記携帯端末装置にダウンロード提供するランチャメニュー管理システムにおいて、前記ランチャメニューの設定登録者に対する課金方法であって、
前記管理者端末装置で、対象となる携帯端末装置毎のランチャメニューに割付けるアプリケーションもしくは、Ｗｅｂサイト、前記携帯端末装置自身、前記携帯端末装置につながる装置の情報の少なくとも一つを設定登録するステップと
前記携帯端末装置のユーザが前記ランチャメニューを介して対応するアプリケーション、もしくは、Ｗｅｂサイト、前記携帯端末装置自身、前記携帯端末装置につながる装置の少なくとも一つを起動したことを契機に前記ランチャ管理サーバがユーザおよび携帯端末装置の認証を行うステップと、
前記ランチャ管理サーバで認証が成立したときに、対応するアプリケーション、もしくは、Ｗｅｂサイト、前記携帯端末装置自身、前記携帯端末装置につながる装置の起動を許可するステップと、
前記管理者端末装置で、対象となる携帯端末装置毎のランチャメニューに割付けるアプリケーションもしくは、Ｗｅｂサイト、前記携帯端末装置自身、前記携帯端末装置につながる装置の情報の設定登録、および前記ランチャ管理サーバでの認証成立を契機に所定の条件に基づき課金情報を生成し、当該生成された課金情報を課金サーバへ送信して課金処理を起動するステップと、
を有することを特徴とするランチャメニュー管理システムにおける課金方法。
【請求項８】
ランチャ管理サーバを介して設定登録されるランチャメニュー、および当該ランチャメニューに対応するアプリケーション、Ｗｅｂサイト、前記携帯端末装置自身、前記携帯端末装置につながる装置の情報の少なくとも一つを、前記携帯端末装置にダウンロード提供するランチャメニュー管理システムに用いられるランチャメニュー管理方法であって、
前記センター装置が、前記複数の携帯端末装置からの要求に基づき、前記ランチャメニューおよび対応するアプリケーション、もしくは、Ｗｅｂサイト、前記携帯端末装置自身、前記携帯端末装置につながる装置の情報の少なくとも一つをダウンロード提供するステップと、
前記携帯端末装置が、前記ランチャメニューを画面表示してユーザに選択入力を促すステップと、
前記携帯端末装置が、前記選択入力されたランチャメニューを取り込み、対応するＷｅｂサイトへの接続、対応する携帯端末装置自身の起動、前記携帯端末装置につながる装置の起動、対応する前記アプリケーションの起動のうち少なくとも一つを実行するステップと、
を有することを特徴とするランチャメニュー管理方法。
【発明の詳細な説明】
【技術分野】
【０００１】
本発明は、管理者端末装置より設定登録されるランチャメニュー、および当該ランチャメニューに対応するアプリケーション、もしくはＷｅｂサイト、もしくは携帯端末装置自身、もしくは前記携帯端末装置につながる装置の各種情報を、ランチャ管理サーバより携帯端末装置にダウンロード提供する、ランチャメニュー管理システム、方法および同システムにおける課金方法に関する。
【背景技術】
【０００２】
パソコン等で使用される汎用ＯＳでは、デスクトップ画面上に各種アプリケーションの起動アイコンやＷｅｂページへのリンクアイコンが配置され、ユーザは、これらを適宜クリックすることにより、所望のアプリケーションの実行、あるいはＷｅｂページの閲覧を迅速に行うことができる。
上記したデスクトップ画面はカスタマイズが可能であり、ユーザ自らがランチャメニューを設定して使い勝手の改善をはかっていた（例えば、特許文献１、２参照）。
【特許文献１】特開２００１−１８８６７２号公報
【特許文献２】特開２００２−２４８１７０号公報
【発明の開示】
【発明が解決しようとする課題】
【０００３】
一方、携帯端末装置は、技術の進歩により電話は勿論のこと、インターネット、メール、カメラ、ビデオ、リモコン、業務ソフトウェア、ナビゲーション、ゲーム、テレビ等、様々な機能が付加され、業務で使用する機会も増えた。このため、利用者は、業務あるいはプライベートで使用する機能をランチャに設定し、使い勝手の向上をはかることが頻繁に行われるようになった。
【０００４】
ところで、企業が各種管理業務において上記携帯端末装置を利用する場合、現状、ランチャメニューは個人単位の設定になることから、設定がばらばらになってしまうことが多い。このため、ランチャメニューの一元管理、操作・利用方法の問合せサポート、マニュアル等のツール作成、各種業務サービス・機能の統一利用が困難であり、携帯端末装置を使った各種管理業務における業務アプリケーション等の利用を阻害している。
また、ランチャは本来個人で使う場合の操作性を改善するものであり、企業等において業務アプリケーションを利用したシステムを構築する場合は、自社で必要な業務システムのみを導入するため、業務アプリケーション提供ベンダーの商品を宣伝する仕組みは持たないのが普通である。
【０００５】
本発明は上記事情に基づいてなされたものであり、企業等において従業員が使用するランチャをセンターで一元管理することにより、携帯端末装置を使った各種管理業務における業務アプリケーションの利用効率の改善をはかった、ランチャメニュー管理システム、方法を提供することを目的とする。
また、ランチャをセンター管理することで業務アプリケーション提供ベンダーの商品を宣伝する仕組みを提供し、新たなビジネスモデルの構築をはかった、ランチャメニュー管理システムにおける課金方法を提供することも目的とする。
【課題を解決するための手段】
【０００６】
上記した課題を解決するために本発明のランチャメニュー管理システムは、ランチャメニューを一元管理し、複数の携帯端末装置に対し前記ランチャメニューおよび対応するアプリケーション、もしくはＷｅｂサイト、もしくは携帯端末装置自身、もしくは前記携帯端末装置につながる装置の情報をダウンロード提供するセンター装置と、前記ランチャメニューを画面表示してユーザに選択入力を促す手段、前記選択入力されたランチャメニューを取り込み、対応するＷｅｂサイトへの接続、対応する携帯端末装置自身の起動、前記携帯端末装置につながる装置の起動、対応する前記アプリケーションの起動のうち少なくとも一つを実行する手段から成るＷｅｂ接続環境を持つ前記携帯端末装置とが、Ｗｅｂを介して接続されて成ることを特徴とする。
【０００７】
また、本発明において、前記センター装置は、対象となる携帯端末装置の少なくとも１台毎、ランチャメニューに割付けるアプリケーション、もしくはＷｅｂサイト、携帯端末装置自身、前記携帯端末装置につながる装置の情報の少なくとも一つを設定登録する管理者端末装置と、前記ランチャメニューを含む関連情報を管理し、前記ランチャメニューを含む関連情報を、対象となる前記携帯端末装置へ送信するランチャ管理サーバと、を備えることを特徴とする。
【０００８】
また、本発明において、前記センター装置は、前記携帯端末装置が、一旦前記携帯端末装置にダウンロード提供したランチャメニュー、もしくはパーソナルデータを、対象となる携帯端末装置毎に削除設定する管理者端末装置と、前記ランチャメニューを含む関連情報を管理し、前記ランチャメニューを含む関連情報の削除命令を、対象となる前記携帯端末装置へセンタープッシュ機能もしくはその他通信方式を用いて、もしくは前記携帯端末からの接続時に送信するランチャ管理サーバと、を備えることを特徴とする。
【０００９】
また、本発明において、前記ランチャ管理サーバは、前記管理者端末装置を介して不定期にアクセスされ、前記ランチャメニューの更新指示があったときに、センタープッシュを用い、前記携帯端末装置の関連する情報を更新することを特徴とする。
【００１０】
また、本発明において、前記携帯端末装置は、前記センター装置を定期的にアクセスして前記センター装置によるランチャメニューの更新を監視し、当該ランチャメニューの更新が確認されたときに関連する情報を更新するランチャメニュー更新管理手段、を更に備えることを特徴とする。
【００１１】
また、本発明において、前記携帯端末装置は、前記センター装置によるランチャアイコンの管理が解除されたときに、ユーザ入力を取り込み、前記ランチャアイコンのカスタマイズを行うことを特徴とする。
【００１２】
また、本発明は、ランチャ管理サーバを介して設定登録されるランチャメニュー、および当該ランチャメニューに対応するアプリケーション、もしくはＷｅｂサイト、もしくは携帯端末装置自身、もしくは前記携帯端末装置につながる装置に関する情報を、前記携帯端末装置にダウンロード提供するランチャメニュー管理システムにおいて、前記ランチャメニューの設定登録者に対する課金方法であって、前記管理者端末装置で、対象となる携帯端末装置毎のランチャメニューに割付けるアプリケーションもしくは、Ｗｅｂサイトもしくは、携帯端末装置自身もしくは、前記携帯端末装置につながる装置の情報を設定登録するステップと前記携帯端末装置のユーザが前記ランチャメニューを介して対応するアプリケーション、もしくはＷｅｂサイト、もしくは携帯端末装置自身、もしくは前記携帯端末装置につながる装置を起動したことを契機に前記ランチャ管理サーバがユーザおよび携帯端末装置の認証を行うステップと、前記ランチャ管理サーバで認証が成立したときに、対応するアプリケーション、もしくはＷｅｂサイト、前記携帯端末装置自身、前記携帯端末装置につながる装置の起動を許可するステップと、前記管理者端末装置で対象となる携帯端末装置毎のランチャメニューに割付けるアプリケーションもしくは、Ｗｅｂサイトもしくは、携帯端末装置自身もしくは、前記携帯端末装置につながる装置の情報の設定登録、および前記ランチャ管理サーバでの認証成立を契機に所定の条件に基づき課金情報を生成し、当該生成された課金情報を課金サーバへ送信して課金処理を起動するステップと、を有することを特徴とする。
【００１３】
また、本発明は、ランチャ管理サーバを介して設定登録されるランチャメニュー、および当該ランチャメニューに対応するアプリケーション、もしくはＷｅｂサイト、前記携帯端末装置自身、前記携帯端末装置につながる装置に関する情報の少なくとも一つを、前記携帯端末装置にダウンロード提供するランチャメニュー管理システムに用いられるランチャメニュー管理方法であって、前記センター装置が、前記複数の携帯端末装置からの要求に基づき、前記ランチャメニューおよび対応するアプリケーション、もしくはＷｅｂサイト、前記携帯端末装置自身、前記携帯端末装置につながる装置の情報の少なくとも一つをダウンロード提供するステップと、前記携帯端末装置が、前記ランチャメニューを画面表示してユーザに選択入力を促すステップと、前記携帯端末装置が、前記選択入力されたランチャメニューを取り込み、対応するＷｅｂサイトへの接続、もしくは対応する携帯端末装置自身の起動、前記携帯端末装置につながる装置の起動、対応する前記アプリケーションの起動の少なくとも一つを実行するステップと、を有することを特徴とする。
【発明の効果】
【００１４】
本発明によれば、センター装置が、ランチャメニューを一元管理し、複数の携帯端末装置に対しランチャメニューおよび対応するアプリケーションをダウンロード提供することで、ランチャメニューの一元管理を実現することができ、このことにより、操作・利用方法等の問合せサポート、マニュアル等のツール作成負荷を飛躍的に改善し、各種業務サービス・機能の統一利用を促進できる。
【００１５】
また、本発明によれば、センター装置を構成する管理者端装置末装置が、対象となる携帯端末装置毎ランチャメニューに割付けるアプリケーションもしくは情報サイトを設定登録し、ランチャ管理サーバが、当該ランチャメニューを管理し、ランチャメニューを含む関連情報を対象となる携帯端末装置へ送信することで、利用者は、管理者指定のランチャメニューから簡易なボタン操作で各種サービス、機能を利用できるため、携帯端末装置を使った業務アプリケーションの利用を促進させ、更に、複数の業務アプリケーションを利用したビジネス環境を推し進めることができる。
【００１６】
また、本発明によれば、ランチャ管理サーバが、一旦前記携帯端末装置にダウンロード提供したランチャメニュー、もしくはパーソナルデータを、センタープッシュ機能を用いて消去することで、企業等で使用しているランチャメニューの内容自体を見られることなく消去でき、社内システム等へのアクセスを回避できる。このため、企業や個人に関する機密情報の漏洩を防止できる。
【００１７】
また、本発明によれば、携帯端末装置がセンター装置を定期的にアクセスしてランチャメニューの更新を監視し、当該ランチャメニューの更新が確認されたときに関連する情報を更新することで、全携帯端末装置が共通して常時新しい状態を維持、管理することができる。更に、携帯端末装置が、センター装置によるランチャアイコンの管理が解除されたときに、ユーザ入力を取り込み、ランチャアイコンのカスタマイズを行うことで、本来のパーソナルユースに基づくランチャメニューの管理が可能となり、利用者に利便性を提供できる。
【００１８】
また、本発明によれば、アプリケーションサーバが、ユーザ認証を行ない、あるいは携帯端末装置のユーザが意図するランチャメニューに対応するアプリケーションもしくはサイトに関する情報を携帯端末装置にダウンロード提供し、ランチャ管理サーバが、所定の条件に基づき課金情報を生成し、当該生成された課金情報を課金サーバへ送信して課金処理を促すことで、センター管理可能なランチャメニューを広く公開し、他社提供アプリケーション等を宣伝できる仕組みを提供することかできる。このことにより、提供ベンダーから紹介手数料等の収入を得ることができ、他社提供アプリケーション等の宣伝、紹介ビジネス展開による新たなビジネスモデルを構築できる。
【発明を実施するための最良の形態】
【００１９】
図１は、本発明実施形態に係わるランチャメニュー管理システムのシステム構成の一例を示す図である。
図１において、符号１は携帯端末であり複数存在する。携帯端末１は、図示したようにランチャメニューをモニタ画面に表示してユーザに対し選択入力を促し、ユーザによって選択入力されたランチャメニューを取り込んで、移動通信網５、ランチャ管理サーバ３を介して対応するＷｅｂ（World Wide Web）サイトへの接続、もしくは対応するアプリケーションプログラム（以下、単にアプリという）もしくは携帯端末１自身、もしくは携帯端末１につながる装置の起動を行う。
【００２０】
また、符号２は管理者端末であり、ＩＰ（Internet Protocol）網４を介してランチャ管理サーバ３に接続され、管理者は、図示した画面を用いてランチャメニューの作成、管理を行う。画面中、１〜９で示されるランチャ配置番号は、携帯端末１におけるモニタ画面のランチャメニューのそれぞれに相当する。詳細については後述する。
【００２１】
ＩＰ網４には、他に、課金サーバ７が接続されている。ここでは、管理者端末２と、ランチャ管理サーバ３により本発明の構成であるセンター装置を構成するものとする。センター装置は、ランチャメニューを一元管理し、携帯端末１に対してランチャメニューおよび対応するアプリ、もしくはＷｅｂサイト、携帯端末１自身、当該携帯端末１につながる装置の情報の少なくとも一つをダウンロード提供する。
【００２２】
図２は、図１に示す管理者端末装置およびランチャ管理サーバの内部構成を機能展開して示したブロック図である。ここでは、本発明に関係するブロックのみ抽出して示してある。管理者端末装置２は、Ｗｅｂ画面起動部２１と、ランチャ画面設定・更新制御部２２と、対象携帯端末設定部２３で構成され、ランチャ管理サーバ３は、情報送信部２４と、ランチャメニューＤＢ２５で構成される。
【００２３】
Ｗｅｂ画面起動部２１は、ランチャメニューを設定するために後述するＷｅｂ画面を起動する機能を持ち、ランチャ画面設定・更新制御部２２は、起動されたＷｅｂ画面に、管理者によって入力され取り込まれた情報を設定してランチャメニューを登録更新する。また、対象携帯端末設定部２３は、ランチャ画面設定・更新制御部２２により設定更新されたランチャメニューおよび対応するアプリケーション、もしくはＷｅｂサイト、もしくは携帯端末装置自身、もしくは前記携帯端末装置につながる装置の情報（以下、ランチャメニュー関連情報という）を設定登録するための対象となる携帯端末装置を管理者によって入力された情報に基づき設定登録する。
【００２４】
なお、情報送信部２４は、管理者端末装置２内のランチャ画面設定・更新制御部２２により設定更新され、ランチャ管理サーバ３内のランチャメニューＤＢ２５に格納されたランチュメニュー関連情報を対象携帯端末設定部２３により設定された携帯端末１に送信するようにランチャ管理サーバ３へ通知する。
【００２５】
図３は、図１に示す携帯端末装置の内部構成を機能展開して示したブロック図である。ここでは、本発明に関係するブロックのみ抽出して示してある。
携帯端末１は、アプリＤＬ受信部１１と、ランチャメニュー表示部１２と、アプリ起動部１３と、アプリ実行制御部１４と、ランチャメニュー更新管理部１５と、ランチャメニューＤＢ１６で構成される。
【００２６】
アプリＤＬ受信部１１は、情報送信部２４からダウンロード提供されるランチャメニューを受信してランチャメニュー表示部１２に供給する。また、ランチャメニュー関連情報はランチャメニューＤＢ１６に格納する。ランチャメニュー表示部１２は受信したランチャメニューをモニタ画面に表示し、ユーザの選択入力を待つ。また、アプリ起動部１３は、ユーザによって選択入力されたランチャメニューに相当するアプリ、もしくはＷｅｂサイト、もしくは携帯端末装置自身、もしくは前記携帯端末装置につながる装置を起動し、アプリ実行部１４によるアプリ、もしくは携帯端末装置自身、もしくは前記携帯端末装置につながる装置の実行、あるいはＷｅｂサイトの閲覧を行わせる。
【００２７】
なお、ランチャメニュー更新管理部１５は、ランチャ管理サーバ３を定期的にアクセスしてランチャメニューの更新を監視し、当該ランチャメニューの更新が確認されたときにランチャメニューＤＢ１６に格納された関連する情報を更新する機能を持つ。ランチャメニュー更新管理部１５はまた、ランチャ管理サーバ３によるランチャアイコンの管理が解除されたときに、取り込まれたユーザ入力に基づきランチャアイコンのカスタマイズを行う機能も併せ持つ。
【００２８】
なお、ランチャメニューＤＢ１６に格納されるデータ項目は、センター装置からＳＭＳ（Short Message Service）もしくはその他通信手段により送信されるものとし、ここでは、アイコンデータ、サービス・機能名称、アイコンの表示位置、当該機能を起動する各種命令、機能起動失敗時の説明取り付け先ＵＲＬ、機能起動失敗時のアプリのダウンロード先ＵＲＬ、データ消去フラグ、業務時とプライベート時のランチャメニューを切り替えるための期間、日付、曜日、時間データ等とする。
【００２９】
図４〜図１０は、管理者が管理者端末を操作してランチャメニューの設定登録を行う場合に使用するＷｅｂ画面の遷移を示した図である。
図４は、ランチャメニュー設定画面であり、管理者は、管理者端末２を操作してランチャメニューとして表示するアプリ、および情報サイトを選択して登録する操作を実行する。ここでは、ランチャメニューに登録できるアプリ、情報サイトは事例として９個（ランチャ配置番号１〜９）とし、登録は、基本ＩＤ単位、子ＩＤ単位、グループ単位、メンバー単位で行えるものとする。
【００３０】
また、携帯端末1台毎にも設定を可能とする。画面左下に割付けられた「検索」ボタンを押下することにより、設定の対象となる携帯リストが表示され、「設定実行」ボタンを押下することで、リストされた携帯端末装置のそれぞれに対し1台または複数台纏めて登録されたランチャメニューを送信し、該当の携帯端末１は、ランチャ管理サーバ３により、一括して登録更新されるものとする。
【００３１】
図５は、ランチャ登録設定画面であり、画面左上にあるランチャ配置番号１〜９のそれぞれにランチャメニューの設定登録が可能である。ここでは、ランチャ配置番号１〜９の全てが更新のない白紙の状態になっている。
図６には、具体的に、ランチャ配置番号１に対して乗り換え検索を行う情報サイトを設定登録するケースが例示されている。ここで、「詳細」ボタンを押下することにより、具体的なコンテンツが表示される。図７はアイコン確認画面であり、ここでは、管理者により、ランチャメニューとして表示するアイコンがあらかじめ用意されたデフォルトのアイコンを使用するか、あるいは変更するかが指定される。図８は登録確認画面であり、ここで、「上記の内容で更新」ボタンを押下することで、携帯リストに表示された各ユーザに対し、ランチャメニューに乗り換え案内が反映される。
【００３２】
図９、図１０は、ランチャメニュー配置番号７にアプリケーションの地図情報ＧＰＳＭＡＰを設定登録する画面、ＧＰＳＭＡＰのアイコン確認画面のそれぞれを示す。ランチャ配置番号１に乗り換え検索の情報サイトを登録した図６、図７のそれぞれに対応する。
【００３３】
本発明のランチャメニュー管理システムによれば、携帯端末１の紛失時、センタープッシュにより、携帯端末１上に登録され格納された、ランチャメニューおよびアドレス帳等のパーソナルデータを自動消去することができる。
ランチャメニュー管理サーバ３は、ランチャメニューを含む関連情報を管理しており、ランチャメニューを含む関連情報の削除命令を、対象となる携帯端末１へセンタープッシュ機能を用いて、もしくは携帯端末１からの接続時に送信する。なお、ここで、「センタープッシュ機能」とは、センター側からの起動により、指定の携帯端末装置のアプリケーションを起動する機能をいい、周知の技術である。
【００３４】
図１１は、上記した本発明実施形態に係わる動作を説明するために引用した動作シーケンス図である。ここでは、携帯端末１、ランチャ管理サーバ３、管理者端末２間のデータの流れが示されている。
【００３５】
まず、管理者は、管理者端末２を操作してＷｅｂ画面を起動し（Ｓ９１）、ランチャ管理サーバ３から関連する情報を取得する（Ｓ９２）。また、管理者は、管理者端末２を操作して紛失対象となった携帯端末を検索して、ランチャ管理サーバ３に対し、その携帯端末１に登録されたランチャ関連情報、およびアドレス帳等のデータの消去を依頼する（Ｓ９３）。
【００３６】
続いてランチャ管理サーバ３は、対象の携帯端末１に対してＳＭＳ（Short Message）を送信して携帯端末１の該当データのデータ消去を実行する（Ｓ９４）。一方、携帯端末１は、該当データ消去の後、その消去結果をランチャ管理サーバ３へ通知する（Ｓ９５）。これに対し、管理者端末２は、対象の携帯端末１のデータ消去がなされたことを確認するために、ランチャ管理サーバ３に対して結果取得の依頼を発行しており（Ｓ９６）、ランチャ管理サーバ３は、携帯端末１からのデータ消去結果を待ち受信し、その消去結果情報を管理者端末２へ送信する（Ｓ９７）。
【００３７】
なお、管理者端末２は、データの消去結果表示、あるいはデータ消去が失敗した場合、再度上記したＳ９３以降の手順を繰り返し、ランチャ管理サーバ３を介してＳＭＳの発行を依頼し（Ｓ９８）、該当携帯端末１のデータ消去を試みる（Ｓ９９）。このことにより、携帯紛失時にセンタープッシュにより該当携帯端末１のデータ消去を自動化でき、第三者からのアクセスを回避できる。
【００３８】
携帯端末１はまた、ランチャ管理サーバ３を定期的、不定期の少なくとも一つの方法でアクセスしてランチャ管理サーバ３によるランチャメニューの更新を監視し、当該ランチャメニューの更新が確認されたときに関連する情報を更新する機能を持つ。図１１にそのための動作シーケンスが更に示されている。
【００３９】
すなわち、携帯端末１は、タイマ監視の下、定期的、不定期のタイミングで、あるいは事前設定したタイミングでランチャ管理サーバ３をアクセスし、管理者端末２によるランチャメニューの更新を監視している（Ｓ１００）。ランチャ管理サーバ３はこれを受けてランチャ関連情報に変更がないか確認し（Ｓ１０１）、変更があった場合、携帯端末１はランチャ管理サーバ３から該当するランチャ関連の各種情報を取得する（Ｓ１０２）。
【００４０】
取得したランチャ関連の各種情報の中に、例えば、データ消去フラグが含まれ、データ消去フラグがＯＮとなっていた場合、携帯端末１に登録された該当箇所にブランクデータを上書き、もしくは削除命令等を実行して各種データを消去し（Ｓ１０３）、その消去結果をランチャ管理サーバ３へ送信する（Ｓ１０４）。また、同様の手順で携帯端末１に登録された情報が古ければ適宜更新を行うことも可能である。勿論、ユーザの手動による更新も可能である。また、ランチャ管理サーバ３は、管理者端末２を介して不定期にアクセスされ、管理者端末２によりランチャメニューの更新指示があったときに、センタープッシュを用い、携帯端末１の関連する情報を更新することも可能である。
【００４１】
上記した本発明実施形態によれば、携帯端末１がランチャ管理サーバ３を定期的、不定期の少なくとも一つの方法でアクセスして管理者端末２によるランチャメニューの更新を監視し、当該ランチャメニューの更新が確認されたときに、関連する情報を更新することで、１全携帯端末１が共通して常時新しいランチャメニューを保持管理することができる。更に、携帯端末１は、ランチャ管理サーバ３がランチャアイコンの管理を解除したときに、ユーザ入力を取り込み、ランチャアイコンのカスタマイズを行うことで、本来のパーソナルユースに基づくランチャメニュー管理が可能となり、このことにより、ユーザに利便性を提供できる。
【００４２】
ところで、上記したセンター管理可能なランチャメニューを広く公開することで、他社提供アプリケーション等を宣伝できる仕組みを構築できる。このことにより、提供ベンダーから紹介手数料等の収入を得ることができ、他社提供アプリケーション等の宣伝、紹介ビジネス展開による新たなビジネスモデルを構築できる。以下にその仕組みならびにデータの流れについて説明する。
【００４３】
図１２、図１３は、提供アプリ、情報サイトにおけるそれぞれの登録画面の一例を示した図である。
図１２において、業務アプリケーションを登録する場合、管理運営者は、ＰＣ（管理者端末２相当）を操作し、「新規登録」ボタンを押下することで、業務アプリケーション登録画面に遷移し、「変更」ボタンを押下することで、登録済みアプリ一覧画面が表示され、変更データ項目を入力することになる。図１３に示される情報サイト登録も同様である。
【００４４】
図１４は、本発明のランチャ管理システムを用い、宣伝、紹介ビシネスを構築する際のランチャ管理サーバ３と課金サーバ７間のデータの流れを示した図である。
図１４において、宣伝、紹介ビジネスを管理運営する事業者（以下、単に事業者という）は、まず、課金サーバ７に対して先に登録したアプリケーション毎、アプリ識別子、アプリケーション名、料金を登録する。（Ｓ１２１）。ここでは、アプリ識別子００１〜００３から成る他社アプリが課金サーバ７側に登録されるものとする。
【００４５】
続いて、事業者は、ランチャ管理サーバ３の運用者管理画面にログイン（Ｓ１２２）して先に課金サーバ７に対し登録を依頼した情報の他に、アプリケーションの登録、およびクラスＩＤの登録を行う（Ｓ１２４）。アプリケーションの登録については図１２に示すアプリ登録画面を用いて行う（Ｓ１２３）。また、図１３に示す情報サイトの登録画面を用いて、情報サイトの登録も行う（Ｓ１２４）。このことにより、センター管理可能なランチャメニューを広く公開し、他社提供アプリケーション等を宣伝できる仕組みを構築することができる。このため、アプリ提供ベンダーから紹介手数料等の収入を得ることができ、他社提供アプリ等の宣伝、紹介ビジネス展開による新たなビジネスモデルを構築できる。このとき、ＵＲＬも合わせて登録する。
【００４６】
図１５は、課金を行う際のデータの流れを示すシーケンス図である。ここでは、携帯端末１、ランチャ管理サーバ３、課金サーバ７間の動作シーケンスが示されている。
図１５において、まず、ユーザは、携帯端末１を操作してモニタ画面に表示されるランチャを介し所望のアプリケーションを起動する（Ｓ１３１、Ｓ１３２）。携帯端末１は、アプリケーションがダウンロードされていない場合はサービス紹介文言を表示し、アプリケーションをダウンロードすることが可能である（Ｓ１３３）。
【００４７】
ランチャ管理サーバ３は、まず、要求のあった携帯端末１の認証を行ない、事前に利用登録されているか否かを確認する（Ｓ１３４）。また、ダウンロードするアプリケーションに対応した携帯端末であるか否かについても確認する（Ｓ１３５）。ここで、両方共に条件を満たしていた場合、携帯端末１は、所望のアプリケーションのダウンロード提供を受ける（Ｓ１３６）。このとき、ランチャ管理サーバ３は、課金サーバ７に対し、基本ＩＤ毎、アプリ識別子と数量から成るアプリ課金情報を転送し（Ｓ１３７）、課金サーバ７は、携帯端末１がアプリケーションをダウンロードし、アプリケーションの利用を開始した時点を契機に課金を開始する。
【００４８】
なお、利用登録が解除されるとランチャ管理サーバが認証結果を返してアプリケーション利用不可になる。図１６にその動作シーケンスが示されている。
すなわち、登録が解除された後にアプリケーションが起動された場合（Ｓ１４１、Ｓ１４２）、携帯端末１は、ランチャ管理サーバ３の認証結果に基づき利用不可状態を受信し、このため所望のアプリケーションを使用することはできない（Ｓ１４３、Ｓ１４４）。
【００４９】
上記した本発明実施形態によれば、ランチャ管理サーバ３が、携帯端末１のユーザが意図するランチャメニューに対応するアプリケーションもしくは情報サイトに関する情報を、携帯端末１にダウンロード提供し、所定の条件に基づき課金情報を生成し、当該生成された課金情報を課金サーバ７へ送信して課金処理を促すことで、センター管理可能なランチャメニューを広く公開し、他社提供アプリケーション等を宣伝できる仕組みを提供することができる。
このことにより、提供ベンダーから紹介手数料等の収入を得ることができ、他社提供アプリケーション等の宣伝、紹介ビジネス展開による新たなビジネスモデルを構築できる。
なお、課金サーバへの課金情報の送信は、ユーザ認証を行った場合に実行してもよい。
【００５０】
以上説明のように本発明は、センター装置（管理者端末２、ランチャ管理サーバ３）がランチャメニューを一元管理し、複数の携帯端末１に対しランチャメニューおよび対応するアプリケーションをダウンロード提供することで、ランチャメニューの一元管理を実現するものであり、このことにより、操作・利用方法等の問合せサポート、マニュアル等のツール作成負荷を飛躍的に改善し、各種業務サービス・機能の統一利用を促進するものである。
【００５１】
また、本発明は、センター装置を構成する管理者端末２が、対象となる携帯端末装置毎、ランチャメニューに割付けるアプリケーションもしくは情報サイトを設定登録し、ランチャ管理サーバ３が、当該ランチャメニューを管理し、ランチャメニューを含む関連情報を対象となる携帯端末装置へ送信するものであり、このことにより、利用者は、管理者指定のランチャメニューから簡易なボタン操作で各種サービス、機能を利用できるため、携帯端末１を使った業務アプリケーションの利用を促進させ、更に、複数の業務アプリケーションを利用したビジネス環境を推し進めるものである。
【００５２】
また、本発明は、センター装置を構成するランチャ管理サーバ３が、携帯端末１が紛失したことを契機に、一旦前記携帯端末１にダウンロード提供したランチャメニュー、もしくはパーソナルデータを、センタープッシュ機能を用いて消去するものであり、このことにより、企業等で使用しているアプリケーションおよび情報サイトの内容自体を見られることなく消去でき、社内システム等へのアクセスを回避するものである。このため、企業や個人に関する機密情報の漏洩を防止できる。
【００５３】
また、本発明は、携帯端末１がランチャ管理サーバ３を定期的にアクセスしてランチャメニューの更新を監視し、当該ランチャメニューの更新が確認されたときに関連する情報を更新するものであり、このことにより、全携帯端末が共通して常時新しい状態を維持し管理することができる。更に、携帯端末１は、ランチャ管理サーバ３によるランチャアイコンの管理が解除されたときに、ユーザ入力を取り込みランチャアイコンのカスタマイズを行うものであり、このことにより、本来のパーソナルユースに基づくランチャメニューの管理が可能となり、利用者に利便性を提供できる。
【００５４】
なお、本発明のランチャメニュー管理システムにおいて、ＧＰＳ（Global Positioning System）、携帯電話、Bluetooth、無線ＬＡＮ（Local Area Network）を用い、位置情報、各種日時情報、更にはユーザの嗜好データを組合せることで、業務において使用する各種機能のランチャメニューと、プライベート時に使用する各種機能のランチャメニューとを状況に応じてダイナミックに変更し、このことにより、ランチャメニューの表示切替えを実現できる。これを、電話、インターネット、メール、カメラ、ビデオ、各種機器のリモコン、業務ソフトウェア、ナビゲーション、ゲーム、テレビ等様々な機能を状況に合わせて効率良く簡単に利用することができる。
【００５５】
また、本発明は、ランチャ管理サーバが、携帯端末１のユーザが意図するランチャメニューに対応するアプリケーションもしくは情報サイトに関する情報を、携帯端末１にダウンロード提供し、携帯端末１によるランチャ管理サーバへのアクセスを契機に所定の条件に基づき課金情報を生成し、当該生成された課金情報を課金サーバ７へ送信して課金処理を促すものであり、このことにより、センター管理可能なランチャメニューを広く公開し、他社提供アプリケーション等を宣伝できる仕組みを提供することかでき、このことにより、提供ベンダーから紹介手数料等の収入を得ることができ、他社提供アプリケーション等の宣伝、紹介ビジネス展開による新たなビジネスモデルを構築できる。
【図面の簡単な説明】
【００５６】
【図１】本発明実施形態に係わるランチャメニュー管理システムのシステム構成の一例を示す図である。
【図２】図１に示す管理者端末装置の内部構成を機能展開して締めたブロック図である。
【図３】図１に示す携帯端末装置の内部構成を機能展開して締めたブロック図である。
【図４】管理者がランチャメニューの設定登録を行う際に使用するＷｅｂ画面の画面構成の一例を示す図である。
【図５】管理者がランチャメニューの設定登録を行う際に使用するＷｅｂ画面の画面構成の一例を示す図である。
【図６】管理者がランチャメニューの設定登録を行う際に使用するＷｅｂ画面の画面構成の一例を示す図である。
【図７】管理者がランチャメニューの設定登録を行う際に使用するＷｅｂ画面の画面構成の一例を示す図である。
【図８】管理者がランチャメニューの設定登録を行う際に使用するＷｅｂ画面の画面構成の一例を示す図である。
【図９】管理者がランチャメニューの設定登録を行う際に使用するＷｅｂ画面の画面構成の一例を示す図である。
【図１０】管理者がランチャメニューの設定登録を行う際に使用するＷｅｂ画面の画面構成の一例を示す図である。
【図１１】本発明実施形態に係わる動作を説明するために引用した動作シーケンス図である。
【図１２】本発明実形態に係わる提供アプリの登録画面の一例を示す図である。
【図１３】本発明実形態に係わる情報サイトの登録画面の一例を示す図である。
【図１４】本発明実施形態を利用して、宣伝、紹介ビシネスを行う際のデータの流れを示すシーケンス図である。
【図１５】本発明実施形態を利用して、宣伝、紹介ビシネスを行う際のデータの流れを示すシーケンス図である。
【図１６】本発明実施形態を利用して、宣伝、紹介ビシネスを行う際のデータの流れを示すシーケンス図である。
【符号の説明】
【００５７】
１…携帯端末、２…管理者端末、３…ランチャ管理サーバ、４…ＩＰ網、５…移動通信網、７…課金サーバ
【図１】
2006171814.tif 000003
【図２】
2006171814.tif 000004
【図３】
2006171814.tif 000005
【図４】
2006171814.tif 000006
【図５】
2006171814.tif 000007
【図６】
2006171814.tif 000008
【図７】
2006171814.tif 000009
【図８】
2006171814.tif 000010
【図９】
2006171814.tif 000011
【図１０】
2006171814.tif 000012
【図１１】
2006171814.tif 000013
【図１２】
2006171814.tif 000014
【図１３】
2006171814.tif 000015
【図１４】
2006171814.tif 000016
【図１５】
2006171814.tif 000017
【図１６】
2006171814.tif 000018